(57)【要約】【課題】所定の周期で更新される映像を含む被写体を撮影する際に、撮影した画像に縞模様のノイズが生じることを防止することを目的とする。【解決手段】撮影エリアの被写体が所定の周期で更新される映像を含むか否かを判定する判定部と、前記被写体が所定の周期で更新される映像を含むと判定すると、前記被写体を撮影するシャッター速度を前記映像が更新される周期の整数倍とは異なる速度に制御する制御部と、を有する情報処理装置が提供される。【選択図】図１
2018056710.tif 000002
【特許請求の範囲】
【請求項１】
撮影エリアの被写体が所定の周期で更新される映像を含むか否かを判定する判定部と、
前記被写体が所定の周期で更新される映像を含むと判定すると、前記被写体を撮影するシャッター速度を前記映像が更新される周期の整数倍とは異なる速度に制御する制御部と、
を有する情報処理装置。
【請求項２】
前記判定部は、前記撮影エリアの被写体に含まれるデジタルコンテンツの識別情報により前記被写体が所定の周期で更新される映像を含むか否かを判定する、
請求項１に記載の情報処理装置。
【請求項３】
前記判定部は、前記撮影エリアにデジタルコンテンツを表示する表示装置の電源がオン状態か又はオフ状態かにより前記被写体が所定の周期で更新される映像を含むか否かを判定する、
請求項１又は２に記載の情報処理装置。
【請求項４】
前記制御部は、前記シャッター速度で前記撮影エリアの被写体を撮影させた後、前記シャッター速度を前記制御する前の設定条件に戻す、
請求項１〜３のいずれか一項に記載の情報処理装置。
【請求項５】
前記制御部は、前記被写体が所定の周期で更新される映像を含むと判定すると、前記被写体を撮影するフラッシュの設定をオフ状態に制御する、
請求項１〜４のいずれか一項に記載の情報処理装置。
【請求項６】
撮影エリアの被写体が所定の周期で更新される映像を含むか否かを判定し、
前記被写体が所定の周期で更新される映像を含むと判定すると、前記被写体を撮影するシャッター速度を前記映像が更新される周期の整数倍とは異なる速度に制御する、
処理をコンピュータに実行させるためのプログラム。
【請求項７】
撮影エリアの被写体が所定の周期で更新される映像を含むか否かを判定する判定部と、
前記被写体が所定の周期で更新される映像を含むと判定すると、前記被写体を撮影するシャッター速度を前記映像が更新される周期の整数倍とは異なる速度に制御する制御部と、
前記シャッター速度で前記撮影エリアの被写体を撮影する撮像部と、
を有する情報処理装置。
【発明の詳細な説明】
【技術分野】
【０００１】
本発明は、情報処理装置及びプログラムに関する。
【背景技術】
【０００２】
所定の情報を表示するディスプレイ装置の画面を撮影及び記録するためのディスプレイ撮影モードと、ディスプレイ撮影モードを設定するための操作スイッチとを有する電子カメラが知られている（例えば、特許文献１参照）。これによれば、スイッチ操作で各種の撮影条件を最適に設定することで、より良好な画像情報等を容易に得ることができる。
【先行技術文献】
【特許文献】
【０００３】
【特許文献１】特開平８−３１７２７６号公報
【発明の概要】
【発明が解決しようとする課題】
【０００４】
しかしながら、特許文献１の技術では、例えば、オシロスコープ等のディスプレイ面を撮影する場合、各種の撮影条件が特別な設定になるように、ユーザが、ディスプレイ撮影モードを選択する必要がある。
【０００５】
そこで、一側面では、本発明は、所定の周期で更新される映像を含む被写体を撮影する際に、撮影した画像に縞模様のノイズが生じることを防止することを目的とする。
【課題を解決するための手段】
【０００６】
一つの案では、撮影エリアの被写体が所定の周期で更新される映像を含むか否かを判定する判定部と、前記被写体が所定の周期で更新される映像を含むと判定すると、前記被写体を撮影するシャッター速度を前記映像が更新される周期の整数倍とは異なる速度に制御する制御部と、を有する情報処理装置が提供される。
【発明の効果】
【０００７】
一側面によれば、所定の周期で更新される映像を含む被写体を撮影する際に、撮影した画像に縞模様のノイズが生じることを防止することができる。
【図面の簡単な説明】
【０００８】
【図１】一実施形態に係る情報処理システムの全体構成の一例を示す図。
【図２】第１及び第２実施形態に係るＰＣの機能構成の一例を示す図。
【図３】第１実施形態に係る情報処理システムの一例を示す図。
【図４】第１実施形態に係る撮影及び自動認識処理の一例を示すフローチャート。
【図５】第２実施形態に係る情報処理システムの一例を示す図。
【図６】第２実施形態に係る撮影及び自動認識処理の一例を示すフローチャート。
【図７】第３実施形態に係るＰＣの機能構成の一例を示す図。
【図８】第３実施形態に係る情報処理システムの一例を示す図。
【図９】第３実施形態に係る撮影及び自動認識処理の一例を示すフローチャート。
【図１０】第３実施形態の変形例に係る情報処理システムの一例を示す図。
【図１１】第４及び第５実施形態に係るスマートフォンの機能構成の一例を示す図。
【図１２】第４実施形態に係る情報処理システムの一例を示す図。
【図１３】第４実施形態に係る撮影及び自動認識処理の一例を示すフローチャート。
【図１４】第５実施形態に係る情報処理システムの一例を示す図。
【図１５】第５実施形態に係る撮影及び自動認識処理の一例を示すフローチャート。
【図１６】第５実施形態の変形例に係る情報処理システムの一例を示す図。
【発明を実施するための形態】
【０００９】
以下、本発明の実施形態について添付の図面を参照しながら説明する。なお、本明細書及び図面において、実質的に同一の機能構成を有する構成要素については、同一の符号を付することにより重複した説明を省く。
【００１０】
＜第１実施形態＞
［情報処理システムの全体構成］
まず、本発明の一実施形態に係る情報処理システムについて、図１を参照しながら説明する。図１は、本実施形態に係る情報処理システムの全体構成の一例を示す。本実施形態に係る情報処理システムは、ＰＣ（パーソナルコンピュータ）１０、プロジェクタ２０及びデジタルカメラ３０を有する。ＰＣ１０とプロジェクタ２０及びＰＣ１０とデジタルカメラ３０は、例えばＨＤＭＩ（登録商標High-Definition Multimedia Interface）回線により接続され得る。ＰＣ１０は、情報処理装置の一例である。情報処理装置の他の例としては、タブレット型端末、その他の電子機器が挙げられる。各機器は、例えば、学校の教室に置かれる。
【００１１】
学校の授業では、黒板にチョークで描写する板書、模造紙などの貼り物等のアナログ教材が使用されている。近年、プロジェクタタイプの電子黒板を用いて、先生等が所有するＰＣ１０のＨＤＤ（Hard Disk Drive）１０８に保存されている動画教材、デジタル教科書、書画カメラでの撮影画像等のデジタル教材を使用した授業の割合が多くなってきている。
【００１２】
ＰＣ１０は、ＨＤＤ１０８内にあるデジタル教材Ｂの再生用のアプリケーションを用いて、対応するプロジェクタ映像信号を出力する。プロジェクタ２０は、プロジェクタ映像信号を受信してデジタル教材Ｂを表示する。これにより、ＰＣ１０のＨＤＤ（Hard Disk Drive）１０８に記憶されたデジタル教材Ｂが投影表示される。
【００１３】
プロジェクタ２０を使用する授業は、デジタル教材Ｂを壁や黒板やホワイトボード上に投射表示することで、生徒全員がデジタル教材Ｂを視聴することができるため、生徒の学力向上への貢献が期待できる。また、デジタル教材Ｂは、プロジェクタ２０に接続しているＰＣ１０のＨＤＤ１０８に保存されているため、一瞬でプロジェクタ２０の画面に表示させたり又は画面から消したりでき、授業の効率化に貢献する。その結果、アナログ教材Ａとデジタル教材Ｂとを併用して授業を行うようになってきている。
【００１４】
例えば、図１では、黒板もしくは壁に、プロジェクタ２０の表示画面Ａｒ２よりも広いカメラの撮影エリアＡｒ１があり、エリア内にアナログ教材Ａを配置したり、デジタル教材Ｂを表示したりしている。
【００１５】
図１には、プロジェクタ表示画面Ａｒ２にデジタル教材Ｂの一例としてデジタルコンテンツｂ１、ｂ２が表示されている。デジタル教材Ｂは、所定の周期で更新される映像の一例である。なお、プロジェクタ２０は、デジタルコンテンツを表示する表示装置の一例である。デジタルコンテンツを表示する表示装置は、これに限らず、液晶ディスプレイ、テレビ等でもよい。
【００１６】
また、本実施形態では、デジタルカメラ３０は、カメラの撮影エリアＡｒ１を撮影する撮像装置の一例である。図１には、カメラの撮影エリアＡｒ１にチョーク等で手書きされた文字ａ３及び同エリアに貼られたアナログ教材Ａのアナログコンテンツａ１，ａ２が表示されている。以下では、アナログコンテンツａ１，ａ２と、黒板にチョークで描写する板書とを含めてアナログ教材Ａという。
【００１７】
デジタル教材ＢはＰＣ１０のＨＤＤ１０８に保存されている。一方、アナログ教材ＡはＨＤＤ１０８に保存されていない。そこで、デジタルカメラ３０を用いてアナログ教材Ａを撮影し、そのデータをＰＣ１０のＲＡＭ１０４やＨＤＤ１０８に保存することで、アナログ教材Ａをデジタル教材として再利用することが行われている。
【００１８】
ＰＣ１０は、カメラ設定を制御するアプリケーションソフト等を用いてカメラの撮影条件の設定を制御する。デジタルカメラ３０は、ＰＣ１０からカメラ設定制御信号を受信し、カメラ設定制御信号に応じてデジタルカメラ３０の撮影条件の設定を変更する。
【００１９】
デジタルカメラ３０は、設定した撮影条件下でカメラの撮影エリアＡｒ１にある被写体を撮影する。図１では、デジタルカメラ３０が撮影する被写体は、カメラの撮影エリアＡｒ１にチョーク等で手書きされた文字ａ３、アナログコンテンツａ１，ａ２及び投影されたデジタルコンテンツｂ１，ｂ２である。デジタルカメラ３０は、撮影された被写体の映像を有するカメラ映像信号をＰＣ１０に送信する。ＰＣ１０は、受信したカメラ映像信号に応じたカメラの映像データＡＢをＲＡＭ（Random Access Memory）１０４又はＨＤＤ１０８等の記憶装置に記憶する。
【００２０】
［同期縞ノイズ］
デジタル教材Ｂは、１／６０秒や１／６０秒の整数倍等の所定の周期（以下、「リフレッシュレート」という。）で更新される。このため、デジタルカメラ３０によりデジタル教材Ｂを撮影すると、プロジェクタ２０のリフレッシュレート及びデジタルカメラ３０のシャッター速度の影響によりデジタルカメラ３０が撮影した映像に縞模様のノイズが発生する場合がある。縞模様のノイズの原因は、ディスプレイやプロジェクタ２０が例えば６０Ｈｚのリフレッシュレートで画面の走査を行っているため、デジタルカメラ３０のシャッター速度と整数倍で同期するためである。デジタルカメラ３０が撮影した映像データＡＢに縞模様のノイズが生じていると、ＰＣ１０に保存しても再利用が困難になる。
【００２１】
デジタルカメラ３０は、通常ＡＵＴＯに設定されており、フラッシュ設定はＡＵＴＯ、シャッター速度設定もＡＵＴＯもしくは高速設定である。シャッター速度は、ＡＵＴＯの場合には１／６０秒、高速設定の場合には１／６０秒の整数倍である。
【００２２】
デジタルカメラ３０が、例えば図１に示す撮影エリアＡｒ１を撮影するとき、被写体にデジタル教材が含まれるため、デジタルカメラ３０の撮影条件を（１）に示す設定に変更すると、縞模様ノイズが消える。デジタルカメラ３０の撮影条件を（２）に示す設定に変更すると更に好ましい。
（１）シャッター速度の設定を例えば１／８秒にする。例えば、シャッター速度を遅くする等、シャッター速度の整数倍にしないことが重要である。
（２）フラッシュ設定をＡＵＴＯからオフ状態にする。
【００２３】
そこで、本実施形態に係るＰＣ１０は、被写体にデジタル教材が含まれているかを自動認識し、デジタル教材Ｂが含まれると判定した場合、デジタルカメラ３０の撮影条件のうち、フラッシュをオフに設定し、シャッター速度を１／８秒に設定するように自動制御する。これにより、デジタル教材Ｂを含む教材をデジタルカメラ３０で撮影するときに、撮影した映像に縞模様のノイズが生じることを防ぐことができる。
【００２４】
［ＰＣのハードウェア構成］
図１に示すＰＣ１０のハードウェア構成の一例について説明する。ＰＣ１０は、キーボード１０１、ディスプレイ１０２、外部Ｉ／Ｆ１０３、ＲＡＭ１０４、ＲＯＭ（Read Only Memory）１０５、ＣＰＵ（Central Processing Unit）１０６、通信Ｉ／Ｆ１０７及びＨＤＤ１０８を有する。各部は、それぞれがバスで相互に接続されている。
【００２５】
キーボード１０１は、入力装置の一例である。ＰＣ１０には、入力装置の他の例としてマウス、タッチパネル等が設けられてもよい。ディスプレイ１０２は、各種の処理結果を表示する。
【００２６】
外部Ｉ／Ｆ１０３は、外部装置とのインターフェースである。外部装置には、記録媒体１０３ａなどがある。これにより、ＰＣ１０は、外部Ｉ／Ｆ１０３を介して記録媒体１０３ａの読み取りを行ったり、書き込みを行ったりすることができる。記録媒体１０３ａには、ＣＤ（Compact Disk）、ＤＶＤ（Digital Versatile Disk）、ＳＤメモリカード（SD Memory card）及びＵＳＢメモリ（Universal Serial Bus memory）等がある。
【００２７】
ＲＡＭ１０４は、プログラムやデータを一時保持する揮発性の半導体メモリ（記憶装置）である。ＲＯＭ１０５は、電源を切っても内部データを保持することができる不揮発性の半導体メモリである。ＲＯＭ１０５には、ネットワーク設定等のプログラム及びデータが格納されている。
【００２８】
ＣＰＵ１０６は、ＨＤＤ１０８又はＲＯＭ１０５から、デジタル教材の自動認識処理や撮影処理プログラムや各種のデータをＲＡＭ１０４に読み出し、前記プログラムの手順に従い処理を実行することで、装置全体の制御や搭載機能を実現する演算装置である。
【００２９】
通信Ｉ／Ｆ１０７は、ＰＣ１０をネットワークに接続するインターフェースである。これにより、ＰＣ１０は、通信Ｉ／Ｆ１０７を介して、プロジェクタ２０及びデジタルカメラ３０とデータ通信を行う。
【００３０】
ＨＤＤ１０８は、プログラムやデータを格納している不揮発性の記憶装置である。格納されるプログラムやデータには、ＰＣ１０の全体を制御する基本ソフトウェア及びアプリケーションソフトウェアがある。例えば、ＨＤＤ１０８には、各種のデータベースやプログラム等が格納されてもよい。かかる構成により、本実施形態に係るＰＣ１０では、ＣＰＵ１０６が、ＲＯＭ１０５やＨＤＤ１０８内に格納されたデータ及びプログラムを用いて撮影処理及び自動認識処理を実行する。
【００３１】
［ＰＣの機能構成］
次に、本発明の第１及び第２実施形態に係るＰＣ１０の機能構成の一例について、図２を参照しながら説明する。図２は、ＰＣ１０の機能構成の一例を示す。ＰＣ１０は、取得部１１、判定部１２、制御部１３、通信部１４、入力部１５、表示部１６及び記憶部１７を有する。
【００３２】
取得部１１は、デジタルカメラ３０が取り込んだ撮影エリアＡｒ１のカメラ映像を取得する。判定部１２は、被写体が所定の周期で更新される映像を含むか否かを判定する。制御部１３は、被写体が所定の周期で更新される映像を含むと判定した場合、シャッター速度を前記映像が更新される周期の整数倍とは異なる速度に制御する。取得部１１、判定部１２及び制御部１３の各機能は、例えば、ＰＣ１０にインストールされたプログラムが、ＣＰＵ１０６に実行させる処理により実現可能である。
【００３３】
通信部１４は、プロジェクタ映像信号をプロジェクタ２０に送信する。また、通信部１４は、カメラ設定制御信号をデジタルカメラ３０に送信し、カメラ映像信号をデジタルカメラ３０から受信する。通信部１４の機能は、例えば、通信Ｉ／Ｆ１０７により実現可能である。
【００３４】
入力部１５は、ユーザが操作した文字等の情報を入力する。入力部１５の機能は、例えば、キーボード１０１により実現可能である。表示部１６は、各種の処理結果を表示する。表示部１６の機能は、例えば、ディスプレイ１０２により実現可能である。
【００３５】
記憶部１７は、デジタル教材、撮影条件及びカメラの映像の各データを記憶する。記憶部１７の機能は、例えば、ＲＡＭ１０４、ＲＯＭ１０５及びＨＤＤ１０８により実現可能である。
【００３６】
なお、図２は機能に着目したブロック図を描いており、これらの機能ブロックで示した各部は、ハードウェアのみ、ソフトウェアのみ、またはハードウェアとソフトウェアとの組合せによって実現することができる。
【００３７】
以下では、上記情報処理システムのＰＣ１０にて実行される機能、デジタルカメラ３０にて実行される機能、デジタルカメラ３０に替えてスマートフォンで実行される機能等が異なる第１〜第５実施形態及び変形例に係る情報処理システムについて順に説明する。
【００３８】
＜第１実施形態＞
まず、第１実施形態に係る情報処理システムについて、図３を参照しながら説明する。図３は、第１実施形態に係る情報処理システムの一例を示す。ＰＣ１０は、ＨＤＤ１０８内にあるデジタル教材Ｂに識別マークｍを合成したデジタル教材Ｂｍを再生用アプリケーションを用いて再生し、デジタル教材Ｂｍを再生するためのプロジェクタ映像信号を出力する。
【００３９】
プロジェクタ２０は、プロジェクタ映像信号を受信し、識別マークｍを含んだデジタル教材Ｂｍを投影表示する。デジタルカメラ３０は、撮影エリアＡｒ１内にある教材を撮影したカメラ映像をカメラ映像信号（例えばＨＤＭＩやＵＳＢ等）にしてＰＣ１０に送信する。
【００４０】
ＰＣ１０は、デジタルカメラ３０からカメラ映像信号を受信する。ＣＰＵ１０６は、画像変換するアプリケーションソフトを用いて、カメラ映像信号をカメラ映像データ（例えば、ビットマップやＪＰＥＧ等）に変換する。ＣＰＵ１０６は、カメラ映像データに識別マークｍがある場合、デジタル教材撮影モードであると判定する。又は、ＣＰＵ１０６は、カメラ映像データに、識別マークｍの特徴に対して所定以上特徴が類似するデータが含まれている場合、デジタル教材撮影モードであると判定する。
【００４１】
ＣＰＵ１０６は、デジタル教材撮影モードであると判定した場合、デジタルカメラ３０の撮影条件を制御するアプリケーションソフト等を通じて、デジタルカメラ３０の撮影条件の設定変更を指示する。これにより、ＰＣ１０がデジタルカメラ３０の撮影条件の設定変更を制御する。例えば、デジタルカメラ３０のフラッシュがオフに設定され、シャッター速度が１／８秒に設定変更される。カメラ映像データ識別マークｍが含まれない場合、デジタルカメラ３０の撮影条件の設定変更は行われない。
【００４２】
このようにして、ＣＰＵ１０６は、デジタルカメラ３０が取り込んだカメラ映像中に識別マークｍが含まれると判定した場合、カメラ映像に所定の周期で更新される映像が含まれると判定する。また、ＣＰＵ１０６は、デジタルカメラ３０が取り込んだカメラ映像に、識別マークｍの特徴に対して所定以上の特徴が類似するデータが含まれると判定した場合、カメラ映像に所定の周期で更新される映像が含まれると判定する。
【００４３】
［撮影及び自動認識処理］
次に、本実施形態に係る撮影及び自動認識処理について図４を参照して説明する。図４は、第１実施形態に係る撮影及び自動認識処理の一例を示すフローチャートである。図４の左側はＰＣ１０の動作を示し、中央はプロジェクタ２０の動作を示し、右側はデジタルカメラ３０の動作を示す。
【００４４】
まず、ＰＣ１０では、制御部１３が、ＨＤＤ１０８に保存されたデジタル教材Ｂに認識マークｍを合成する（ステップＳ１０）。次に、通信部１４は、識別マークｍを含んだデジタル教材Ｂｍを表示するためのプロジェクタ映像信号を出力し、送信する（ステップＳ１２）。
【００４５】
プロジェクタ２０は、プロジェクタ映像信号を受信し（ステップＳ１１０）、識別マークｍを含んだデジタル教材Ｂｍを投影表示する（ステップＳ１１２）。
【００４６】
デジタルカメラ３０は、カメラの撮影エリアＡｒ１を撮影する（ステップＳ２１０）。デジタルカメラ３０は、撮影したカメラ映像を表示するためのカメラ映像信号を送信する（ステップＳ２１２）。
【００４７】
ＰＣ１０の通信部１４が、カメラ映像信号を受信すると（ステップＳ１４）、取得部１１は、カメラ映像信号をカメラ映像データに変換し、カメラ映像データを取得する（ステップＳ１６）。判定部１２は、カメラ映像データに識別マークが含まれるか否かを判定する（ステップＳ１８）。判定部１２は、カメラ映像データに識別マークが含まれると判定した場合、デジタル教材撮影モードであると判定する（ステップＳ２２）。デジタル教材撮影モードは、撮影エリアＡｒ１の被写体が所定の周期で更新される映像を含むことを示す。
【００４８】
判定部１２は、カメラ映像データに識別マークが含まれないと判定した場合、デジタルカメラ３０が撮影した映像に、識別マークｍの特徴に対して所定以上の特徴が類似するデータが含まれるか否かを判定する（ステップＳ２０）。判定部１２は、デジタルカメラ３０が撮影した映像に、識別マークｍの特徴に対して所定以上の特徴が類似するデータが含まれると判定した場合、デジタル教材撮影モードであると判定する（ステップＳ２２）。それ以外の場合、制御部１３は、デジタルカメラ３０の設定変更は行わず、本処理を終了する。
【００４９】
ステップＳ２２において、デジタル教材撮影モードであると判定された場合、制御部１３は、デジタルカメラ３０の撮影条件の設定変更を指示する通知を行う（ステップＳ２４）。具体的には、制御部１３は、シャッター速度をＡＵＴＯから１／８秒に設定するか又は高速設定に変更する。また、制御部１３は、フラッシュをＡＵＴＯからオフに設定変更する。通信部１４は、デジタルカメラ３０の撮影条件の設定変更を指示するカメラ設定制御信号を送信する。
【００５０】
デジタルカメラ３０は、カメラ設定制御信号を受信する（ステップＳ２１４）。デジタルカメラ３０は、カメラ設定制御信号に従い、シャッター速度をＡＵＴＯから１／８秒に設定するか又は高速設定に変更し、フラッシュをＡＵＴＯからオフに設定変更する。
【００５１】
ＰＣ１０が撮影指示を行うと（ステップＳ２６）、デジタルカメラ３０は、ＰＣ１０からの撮影指示に応じて、撮影を実行する（ステップＳ２１８）。デジタルカメラ３０は、撮影したカメラ映像信号をＰＣ１０へ送信する（ステップＳ２２０）。
【００５２】
ＰＣ１０の通信部１４は、カメラの映像信号を受信する（ステップＳ２８）。記憶部１７は、カメラの映像信号を変換したカメラ映像データＡＢを記憶する。制御部１３は、撮影条件を設定変更前の状態であるＡＵＴＯに戻し（ステップＳ３０）、本処理を終了する。
【００５３】
以上に説明したように、第１実施形態に係る情報処理システムによれば、ＰＣ１０が、撮影エリアＡｒ１内にデジタル教材Ｂがあるか否かを自動認識する。そして、ＰＣ１０は、デジタル教材Ｂがあると自動認識した場合、デジタルカメラ３０の撮影条件の設定を自動で変更する。これにより、デジタル教材Ｂを含む教材をデジタルカメラ３０で撮影するときに、撮影した映像に縞模様のノイズが生じることを防ぐことができる。これにより、データをＰＣ１０のＲＡＭ１０４やＨＤＤ１０８に保存することで、アナログ教材Ａ及びデジタル教材Ｂを再利用することができる。
【００５４】
また、デジタルカメラ３０の設定を手動で行う必要がないため、効率的な処理が行える。例えば、授業中にデジタルカメラ３０の設定を手動で行う必要がないため、先生は授業を円滑に行うことができる。
【００５５】
＜第２実施形態＞
次に、第２実施形態に係る情報処理システムについて、図５を参照しながら説明する。図５は、第２実施形態に係る情報処理システムの一例を示す。第１実施形態に係る情報処理システムでは、ＰＣ１０が、デジタルカメラ３０の撮影エリアＡｒ１に配置又は表示されている教材にデジタル教材Ｂがあるか否かをデジタルカメラ３０のカメラ映像信号から自動認識した。
【００５６】
これに対して、第２実施形態に係る情報処理システムでは、ＰＣ１０が、プロジェクタ２０の電源状態を示すプロジェクタ制御信号から、カメラの撮影エリアＡｒ１にデジタル教材Ｂが含まれているかを自動認識する。よって、第２実施形態では、第１実施形態にて使用した識別マークｍは不要である。
【００５７】
そのため、図５に示す第２実施形態に係る情報処理システムでは、ＰＣ１０は、ＰＣ１０からプロジェクタ２０にシリアルインターフェースのフォーマットで、プロジェクタ２０の電源状態を確認するコマンドを発行する。コマンド発行を行うために、ＰＣ１０側にPJLink（一般社団法人ビジネス機械・情報システム産業協会の商標）やVESA（Video Electronics Standards Association）規格のDDC-CI（Display Data Channel Command Interface：VESAの商標）に対応するインターフェースが設けられている。ＰＣ１０は、シリアルインターフェースに替えてＩ２Ｃ（アイ・スクエア・シー）を用いて通信を行ってもよい。
【００５８】
これに応じて、プロジェクタ２０からＰＣ１０にプロジェクタ制御信号が送信され、プロジェクタ２０の電源状態を通知するようになっている。ＰＣ１０は、プロジェクタ制御信号に基づきプロジェクタ２０の電源状態がオン状態であると判定した場合、プロジェクタ２０がデジタル教材Ｂを表示していると判定する。一方、プロジェクタ２０の電源状態がオフ状態であると判定した場合、プロジェクタ２０の表示は行われていない、つまり、デジタル教材Ｂは表示されていないと判定する。
【００５９】
［撮影及び自動認識処理］
次に、本実施形態に係る撮影及び自動認識処理について図６を参照して説明する。図６は、第２実施形態に係る撮影及び自動認識処理の一例を示すフローチャートである。図６の左側はＰＣ１０の動作を示し、中央はプロジェクタ２０の動作を示し、右側はデジタルカメラ３０の動作を示す。
【００６０】
まず、ＰＣ１０の自動認識プログラムが動作すると、ＰＣ１０の通信部１４は、ＰＣ１０からプロジェクタ２０にシリアルインターフェースのフォーマットで、プロジェクタ２０の電源状態を確認するコマンドを発行し、プロジェクタ２０の電源状態の確認指示を行う（ステップＳ３２）。プロジェクタ２０は、プロジェクタ２０の電源状態の確認指示を受信し（ステップＳ１１４）、同インターフェース経由でＰＣ１０にプロジェクタ２０の電源状態を送信する（ステップＳ１１６）。
【００６１】
ＰＣ１０の通信部１４は、プロジェクタ２０の電源状態を受信する（ステップＳ３４）。判定部１２は、プロジェクタ２０の電源がオン状態であるかを判定する（ステップＳ３６）。判定部１２は、プロジェクタ２０の電源がオフ状態である場合、デジタル教材Ｂは表示されていないと判定し、本処理を終了する。
【００６２】
判定部１２は、プロジェクタ２０の電源がオン状態である場合、カメラの撮影エリアＡｒ１にデジタル教材Ｂがあると判定し、デジタル教材撮影モードと判定する（ステップＳ２２）。ステップＳ２２において、デジタル教材撮影モードと判定された場合、制御部１３は、デジタルカメラ３０の撮影条件の設定変更を指示する（ステップＳ２４）。通信部１４は、デジタルカメラ３０の撮影条件の設定変更を指示するカメラ設定制御信号を送信し、その後、撮影指示を送信する（ステップＳ２６）。
【００６３】
デジタルカメラ３０は、カメラ設定制御信号を受信する（ステップＳ２１４）。デジタルカメラ３０は、カメラ設定制御信号に従い、シャッター速度をＡＵＴＯから１／８秒に設定するか又は高速設定に変更し、フラッシュをＡＵＴＯからオフに設定変更する（ステップＳ２１６）。デジタルカメラ３０は、ＰＣ１０からの撮影指示に応じて、撮影を実行する（ステップＳ２１８）。デジタルカメラ３０は、撮影したカメラ映像信号をＰＣ１０へ送信する（ステップＳ２２０）。
【００６４】
ＰＣ１０の通信部１４は、カメラの映像信号を受信する（ステップＳ２８）。制御部１３は、撮影条件を設定変更前の状態であるＡＵＴＯに戻し（ステップＳ３０）、本処理を終了する。
【００６５】
以上に説明したように、第２実施形態に係る情報処理システムによれば、ＰＣ１０が、プロジェクタ２０の電源状態によって撮影エリアＡｒ１内にデジタル教材Ｂが表示されているか否かを自動認識する。ＰＣ１０は、デジタル教材Ｂを自動認識した場合、デジタルカメラ３０の撮影条件の設定変更を自動で行う。これにより、デジタル教材Ｂを含む教材をデジタルカメラ３０で撮影するときに、撮影した映像に縞模様のノイズが生じることを防ぐことができる。また、デジタルカメラ３０の設定を手動で行う必要がないため、効率的な処理が行える。
【００６６】
また、本実施形態では、デジタル教材Ｂを自動認識する際に、識別マークを検出するための画像解析が必要でない。よって、本実施形態によれば、自動認識処理の負荷の軽減と高速化を図ることができる。
【００６７】
＜第３実施形態＞
第１実施形態に係る情報処理システムでは、ＰＣ１０が、カメラ映像信号からカメラの撮影エリアＡｒ１にデジタル教材Ｂがあるか否かを自動認識した。これに対して、第３実施形態では、カメラ映像信号から撮影エリアＡｒ１にデジタル教材Ｂがあるか否かを自動認識する機器がデジタルカメラ３０である点が異なる。
【００６８】
［機能構成］
よって、第３実施形態では、第１実施形態においてＰＣ１０が有していた機能は、概ねデジタルカメラ３０の機能となっている。本実施形態に係るデジタルカメラ３０の機能構成の一例について、図７を参照しながら説明する。
【００６９】
ＰＣ１０は、撮像部３１、判定部３２、制御部３３、通信部３４、入力部３５、表示部３６及び記憶部３７を有する。撮像部３１は、所定のシャッター速度で撮影エリアＡｒ１を撮影する。
【００７０】
判定部３２、制御部３３、通信部３４、入力部３５、表示部３６及び記憶部３７の各機能は、判定部１２、制御部１３、通信部１４、入力部１５、表示部１６及び記憶部１７の各機能と同一であるため、ここでは説明を省略する。
【００７１】
かかる構成のデジタルカメラ３０を含む第３実施形態に係る情報処理システムの一例を図８に示す。本実施形態では、ＰＣ１０とデジタルカメラ３０との間にカメラ映像信号、カメラ設定制御信号を送受信するためのインターフェースがない。
【００７２】
本実施形態では、カメラ映像信号をカメラ映像データに画像変換するアプリケーション、識別マークｍの有無判定を行う処理、デジタル教材撮影モードと判定するとデジタルカメラの設定変更を行う処理をデジタルカメラ３０が行う。そのために、本実施形態では、デジタルカメラ３０内のストレージ１３１が識別マークｍのデータを保存する。デジタルカメラ３０の各機能は、主にＤＳＰ（Digital Signal Processor）１３２により実行される。
【００７３】
ＰＣ１０は、ＨＤＤ１０８内にあるデジタル教材Ｂに識別マークｍを合成したデジタル教材Ｂｍを再生用アプリケーションを用いて再生し、識別マークを含んだプロジェクタ映像信号を出力する。プロジェクタ２０は、プロジェクタ映像信号を受信し、プロジェクタは識別マークｍを含んだデジタル教材Ｂｍを表示する。
【００７４】
［撮影及び自動認識処理］
次に、本実施形態に係る撮影及び自動認識処理について図９を参照して説明する。図９は、第３実施形態に係る撮影及び自動認識処理の一例を示すフローチャートである。図９の左側はＰＣ１０の動作を示し、中央はプロジェクタ２０の動作を示し、右側はデジタルカメラ３０の動作を示す。デジタルカメラ３０は、前もって識別マークｍのデータをストレージ１３１に保存している（ステップＳ２２２）。
【００７５】
まず、ＰＣ１０では、制御部１３が、ＨＤＤ１０８に保存されたデジタル教材Ｂに認識マークｍを合成する（ステップＳ１０）。次に、通信部１４は、識別マークｍを含んだデジタル教材Ｂｍを表示するためのプロジェクタ映像信号を出力し、送信する（ステップＳ１２）。
【００７６】
プロジェクタ２０は、プロジェクタ映像信号を受信する（ステップＳ１１０）。プロジェクタ２０は、識別マークｍを含んだデジタル教材Ｂｍを投影表示する（ステップＳ１１２）。
【００７７】
ストレージ１３１に記憶されたデジタルカメラ３０の自動認識プログラムが動作すると、デジタルカメラ３０の撮像部３１は、撮影エリアＡｒ１のカメラ映像を取り込む（ステップＳ２２４）。次に、制御部３３は、カメラ映像を画像データに変換するアプリケーションソフトを用いて、カメラ映像データに変換する（ステップＳ２２６）。
【００７８】
次に、判定部３２は、カメラ映像データに識別マークが含まれるか否かを判定する（ステップＳ２２８）。判定部３２は、カメラ映像データに識別マークが含まれると判定した場合、デジタル教材撮影モードであると判定する（ステップＳ２３２）。判定部３２は、カメラ映像データに識別マークが含まれないと判定した場合、デジタルカメラ３０が撮影した映像に、識別マークｍの特徴に対して所定以上の特徴が類似するデータが含まれるか否かを判定する（ステップＳ２３０）。
【００７９】
判定部３２は、デジタルカメラ３０が撮影した映像に、識別マークｍの特徴に対して所定以上の特徴が類似するデータが含まれると判定した場合、デジタル教材撮影モードであると判定する（ステップＳ２３２）。それ以外の場合、制御部３３は、デジタルカメラの設定変更は行わず、本処理を終了する。
【００８０】
ステップＳ２３２において、デジタル教材撮影モードであると判定された場合、制御部３３は、デジタルカメラ３０の設定を制御するアプリケーションソフト等を通じて、デジタルカメラ３０の撮影条件の設定変更を行う（ステップＳ２３４）。具体的には、制御部３３は、シャッター速度をＡＵＴＯから１／８秒に設定するか又は高速設定に変更し、フラッシュをＡＵＴＯからオフに設定変更する。
【００８１】
撮影条件の変更後、撮像部３１は、ＰＣ１０からの撮影指示（ステップＳ２６）に応じて、撮影を実行する（ステップＳ２３６）。通信部３４は、撮影したカメラの映像信号をＰＣ１０へ送信する（ステップＳ２３８）。
【００８２】
ＰＣ１０の通信部１４は、カメラの映像信号を受信する（ステップＳ２８）。記憶部１７は、カメラの映像データＡＢを記憶する。制御部１３は、撮影条件を設定変更前の状態であるＡＵＴＯに戻し（ステップＳ３０）、本処理を終了する。
【００８３】
以上に説明したように、第３実施形態に係る情報処理システムによれば、デジタルカメラ３０が、撮影エリアＡｒ１内にデジタル教材Ｂがあるか否かを自動認識する。そして、デジタルカメラ３０は、デジタル教材Ｂがあると自動認識した場合、デジタルカメラ３０の撮影条件の設定を自動で変更する。これにより、デジタル教材Ｂを含む教材をデジタルカメラ３０で撮影するときに、撮影した映像に縞模様のノイズが生じることを防ぐことができる。
【００８４】
＜第３実施形態の変形例＞
図１０は、第３実施形態の変形例に係る情報処理システムの一例を示す。第３実施形態の変形例に係る情報処理システムは、デジタルカメラ３０に替えてスマートフォン４０が使用される点が、図８に示した第３実施形態に係る情報処理システムと異なる。
【００８５】
つまり、第３実施形態の変形例では、スマートフォン４０が、第３実施形態のデジタルカメラ３０の機能を有している。この場合にも、ＰＣ１０とスマートフォン４０には、カメラ映像信号とカメラ設定制御をするインターフェースがない。カメラ映像信号をカメラ映像データに画像変換するアプリケーション、識別マークの有無判定を行う処理、デジタル教材撮影モードと判断するとスマートフォン４０のカメラの撮影設定条件の変更を行う処理をスマートフォン４０が行う。なお、スマートフォン４０内のストレージ１４１には、予め識別マークｍのデータが記憶されている。
【００８６】
ＰＣ１０は、ＨＤＤ１０８内にあるデジタル教材Ｂに識別マークｍを合成したデジタル教材を再生用アプリケーションを用いて再生し、識別マークを含んだプロジェクタ映像信号を出力する。プロジェクタ２０は、プロジェクタ映像信号を受信し、識別マークを含んだデジタル教材を表示する。
【００８７】
スマートフォン４０の自動認識プログラムが動作すると、スマートフォン４０は、カメラの撮影エリアＡｒ１のカメラ映像を取り込む。スマートフォン４０は、カメラ映像を画像データに変換するアプリケーションソフトを用いて、カメラ映像データに変換する。
【００８８】
スマートフォン４０は、カメラ映像データに識別マークがあると判定した場合、またはカメラ映像データに、識別マークの特徴に対して所定以上に類似するデータが含まれていると判定した場合、デジタル教材撮影モードであると判断する。その場合、スマートフォン４０は、カメラの撮影条件を制御するアプリケーションソフト等を通じて、スマートフォン４０のカメラの撮影条件の設定変更を行う。例えば、スマートフォン４０のカメラのフラッシュがオフに設定変更され、シャッター速度が１／８秒又は高速設定に設定変更される。カメラ映像データに識別マークが無い場合、スマートフォン４０のカメラの撮影条件の設定変更は行われない。
【００８９】
以上、第３実施形態の変形例に係る情報処理システムによれば、スマートフォン４０が、撮影エリアＡｒ１内の教材に含まれるデジタル教材Ｂを自動認識する。スマートフォン４０は、デジタル教材Ｂを自動認識した場合、スマートフォン４０に内蔵されたカメラの撮影条件を自動で設定変更する。これにより、デジタル教材Ｂを含む教材をスマートフォン４０を用いて撮影するときに、撮影した映像に縞模様のノイズが生じることを防ぐことができる。
【００９０】
＜第４実施形態＞
第４実施形態に係る情報処理システムでは、第３実施形態の変形例に係る情報処理システムにおいてＰＣ１０及びスマートフォン４０が実行した機能を、スマートフォン４０のみで実行する点が異なる。
【００９１】
［機能構成］
よって、第４実施形態では、ＰＣ１０が有する各機能はスマートフォン４０が有する。以下、本実施形態に係るスマートフォン４０の機能構成の一例について、図１１を参照しながら説明する。
【００９２】
スマートフォン４０は、撮像部４１、判定部４２、制御部４３、通信部４４、入力部４５、表示部４６及び記憶部４７を有する。撮像部４１は、スマートフォン４０に設けられたカメラの機能を用いて所定のシャッター速度で撮影エリアＡｒ１を撮影する。
【００９３】
判定部４２、制御部４３、通信部４４、入力部４５、表示部４６及び記憶部４７の各機能は、判定部１２、制御部１３、通信部１４、入力部１５、表示部１６及び記憶部１７の各機能と同一であるため、ここでは説明を省略する。
【００９４】
かかる構成のスマートフォン４０を含む第４実施形態に係る情報処理システムの一例を図１２に示す。本実施形態に係る情報処理システムは、スマートフォン４０及びプロジェクタ２０により構成されている。スマートフォン４０は、ストレージ１４１内にあるデジタル教材Ｂに、識別マークｍを合成したデジタル教材Ｂｍを再生用アプリケーションを用いて再生し、識別マークを含んだプロジェクタ映像信号を出力する。プロジェクタ２０は、プロジェクタ映像信号を受信し、識別マークを含んだデジタル教材Ｂｍを表示する。
【００９５】
［撮影及び自動認識処理］
次に、本実施形態に係る撮影及び自動認識処理について図１３を参照して説明する。図１３は、第４実施形態に係る撮影及び自動認識処理の一例を示すフローチャートである。図１３の左側はプロジェクタ２０の動作を示し、右側はスマートフォン４０の動作を示す。スマートフォン４０の各機能は、主にＣＰＵ１４２により実行される。スマートフォン４０は、前もって識別マークｍのデータをストレージ１４１に保存している（ステップＳ３２２）。
【００９６】
制御部４３は、ストレージ１４１内にあるデジタル教材Ｂに、識別マークｍを合成したデジタル教材Ｂｍを再生し、通信部４４は、識別マークを含んだプロジェクタ映像信号を出力し、プロジェクタ２０に送信する（ステップＳ３４０、Ｓ３４２）。
【００９７】
プロジェクタ２０は、プロジェクタ映像信号を受信し（ステップＳ１１０）、識別マークを含んだデジタル教材Ｂｍを表示する（ステップＳ１１２）。
【００９８】
スマートフォン４０の自動認識プログラムが動作すると、スマートフォン４０の撮像部４１は、撮影エリアＡｒ１のカメラ映像を取り込む（ステップＳ３２４）。制御部４３は、カメラ映像を画像データに変換するアプリケーションソフトを用いて、カメラ映像データに変換する（ステップＳ３２６）。
【００９９】
次に、判定部４２は、カメラ映像データに識別マークがあるか否かを判定する（ステップＳ３２８）。判定部４２は、カメラ映像データに識別マークがあると判定した場合、デジタル教材撮影モードと判定する（ステップＳ３３２）。一方、判定部４２は、ステップＳ３２８においてカメラ映像データに識別マークがないと判定し、ステップＳ３３０においてカメラ映像データに、識別マークの特徴に対して所定以上に類似するデータが含まれていると判定した場合、デジタル教材撮影モードと判定する（ステップＳ３３２）。
【０１００】
判定部４２は、ステップＳ３２８においてカメラ映像データに識別マークがないと判定し、ステップＳ３３０においてカメラ映像データに、識別マークの特徴に対して所定以上に類似するデータが含まれていないと判定した場合、本処理を終了する。
【０１０１】
ステップＳ３３２においてデジタル教材撮影モードと判定された場合、制御部４３は、カメラ設定を制御するアプリケーションソフト等を通じて、スマートフォン４０のカメラの撮影条件の設定変更を行う（ステップＳ３３４）。例えば、カメラのフラッシュがオフに設定変更され、シャッター速度が１／８秒に設定変更され、又は高速設定に変更される。カメラ映像データに識別マークが含まれないと判定された場合、スマートフォン４０のカメラの撮影条件の設定変更は行われない。
【０１０２】
撮影条件の設定変更後、撮像部４１は、撮影エリアＡｒ１の撮影を実行する（ステップＳ３３６）。撮影後、制御部４３は、撮影条件を設定変更前の状態であるＡＵＴＯに戻し（ステップＳ３３８）、本処理を終了する。
【０１０３】
以上に説明したように、第４実施形態に係る情報処理システムによれば、ＰＣ１０を介在させずに、スマートフォン４０が、撮影エリアＡｒ１内の教材に含まれるデジタル教材Ｂを自動認識することができる。そして、スマートフォン４０は、デジタル教材Ｂを自動認識した場合、スマートフォン４０に内蔵されたカメラの撮影条件を自動で設定変更する。これにより、デジタル教材Ｂを含む教材をスマートフォン４０のカメラで撮影するときに、撮影した映像に縞模様のノイズが生じることを防ぐことができる。
【０１０４】
＜第５実施形態＞
次に、第５実施形態に係る情報処理システムについて、図１４を参照しながら説明する。図１４は、第５実施形態に係る情報処理システムの一例を示す。第２実施形態に係る情報処理システムでは、ＰＣ１０がプロジェクタ２０の電源状態からカメラの撮影エリアＡｒ１にデジタル教材Ｂが含まれているかを自動認識した。これに対して、第５実施形態に係る情報処理システムでは、スマートフォン４０が、プロジェクタ２０の電源状態からカメラの撮影エリアＡｒ１にデジタル教材Ｂが含まれているかを自動認識する点が異なる。
【０１０５】
よって、第５実施形態に係る情報処理システムでは、図１４に示すように、スマートフォン４０は、スマートフォン４０からプロジェクタ２０にシリアルインターフェースのフォーマットで、プロジェクタの電源状態を確認するコマンドを発行する。コマンド発行を行うために、スマートフォン４０側にPJLink（一般社団法人ビジネス機械・情報システム産業協会の商標）やVESA（Video Electronics Standards Association）規格のDDC-CI（Display Data Channel Command Interface：VESAの商標）に対応するインターフェースが設けられている。
【０１０６】
これに応じて、プロジェクタ２０からスマートフォン４０にプロジェクタ制御信号が送信され、プロジェクタ２０の電源状態が通知される。スマートフォン４０は、プロジェクタ制御信号に基づきプロジェクタ２０の電源状態がオン状態であると判定した場合、プロジェクタ２０がデジタル教材Ｂを表示していると判定する。一方、プロジェクタ２０の電源状態がオフ状態であると判定した場合、スマートフォン４０は、デジタル教材Ｂが表示されていないと判定する。
【０１０７】
［撮影及び自動認識処理］
次に、本実施形態に係る撮影及び自動認識処理について図１５を参照して説明する。図１５は、第５実施形態に係る撮影及び自動認識処理の一例を示すフローチャートである。図１５の左側はプロジェクタ２０の動作を示し、右側はスマートフォン４０の動作を示す。
【０１０８】
スマートフォン４０は自動認識プログラムを動作させると、スマートフォン４０の通信部４４は、プロジェクタ２０にシリアルインターフェースのフォーマットで、プロジェクタの電源状態を確認するコマンドを発行する（ステップＳ３５０）。
【０１０９】
プロジェクタ２０が、コマンドを受信し（ステップＳ１１４）、プロジェクタの電源状態を送信すると（ステップＳ１１６）、スマートフォン４０の通信部４４は、プロジェクタの電源状態を受信する（ステップＳ３５２）。次に、判定部４２は、プロジェクタ２０の電源がオン状態であるか否かを判定する（ステップＳ３５４）。プロジェクタ２０の電源がオン状態であると判定された場合、制御部４３は、カメラの撮影エリアＡｒ１にデジタル教材Ｂがあると判断し、デジタル教材撮影モードと判定する（ステップＳ３５６）。
【０１１０】
この場合、制御部４３は、カメラ設定を制御するアプリケーションソフト等を用いて撮影条件の設定変更を行う（ステップＳ３５８）。例えば、スマートフォン４０のフラッシュがオフに設定変更され、シャッター速度が１／８秒に設定変更されるか又は高速設定に変更される。一方、ステップＳ３４４において、プロジェクタ２０の電源がオフ状態であると判定された場合、スマートフォン４０の撮影条件の設定変更は行われない。
【０１１１】
撮影条件の変更後、撮像部４１は、撮影を実行する（ステップＳ３３６）。撮影後、制御部４３は、撮影条件を設定変更前の状態であるＡＵＴＯに戻し（ステップＳ３３８）、本処理を終了する。
【０１１２】
以上に説明したように、第５実施形態に係る情報処理システムによれば、スマートフォン４０が、撮影エリアＡｒ１内の教材に含まれるプロジェクタ２０の電源状態によってデジタル教材Ｂを自動認識する。スマートフォン４０は、デジタル教材Ｂを自動認識した場合、スマートフォン４０のカメラの撮影条件を自動で設定変更する。これにより、デジタル教材Ｂを含む教材をスマートフォン４０のカメラで撮影するときに、撮影した映像に縞模様のノイズが生じることを防ぐことができる。
【０１１３】
＜第５実施形態の変形例＞
次に、第５実施形態の変形例に係る情報処理システムについて、図１６を参照しながら説明する。第５実施形態の変形例に係る情報処理システムでは、ＰＣ１０のＨＤＤ１０８にデジタル教材Ｂが保存されている。
【０１１４】
ＰＣ１０は、デジタル教材Ｂを再生するためのプロジェクタ映像信号をプロジェクタ２０に送信する。プロジェクタ２０は、プロジェクタ映像信号を受信し、デジタル教材Ｂを表示する。
【０１１５】
スマートフォン４０は、スマートフォン４０からプロジェクタ２０にシリアルインターフェースのフォーマットで、プロジェクタ２０の電源状態を確認するコマンドを発行する。これに応じて、プロジェクタ２０からスマートフォン４０にプロジェクタ制御信号が送信され、プロジェクタ２０の電源状態が通知される。
【０１１６】
スマートフォン４０は、プロジェクタ制御信号に基づきプロジェクタ２０の電源状態がオン状態であると判定した場合、プロジェクタ２０がデジタル教材Ｂを表示していると判定する。一方、スマートフォン４０は、プロジェクタ２０の電源状態がオフ状態であると判定した場合、デジタル教材Ｂは表示されていないと判定する。
【０１１７】
以上に説明したように、第５実施形態の変形例に係る情報処理システムによれば、第５実施形態と同様に、スマートフォン４０を用いてデジタル教材Ｂを自動認識し、自動認識の結果に応じてスマートフォン４０のカメラの撮影条件を自動で設定変更する。これにより、デジタル教材Ｂを含む教材をスマートフォン４０のカメラで撮影するときに、撮影した映像に縞模様のノイズが生じることを防ぐことができる。
【０１１８】
以上、情報処理装置及びプログラムを上記実施形態により説明したが、本発明に係る情報処理装置及びプログラムは上記実施形態に限定されるものではなく、本発明の範囲内で種々の変形及び改良が可能である。また、上記実施形態及び変形例が複数存在する場合、矛盾しない範囲で組み合わせることができる。
【０１１９】
例えば、第１実施形態の自動認識処理と第２実施形態の自動認識処理とを組み合わせて、カメラ映像データ中の識別マークｍのデータの有無から撮影エリアＡｒ１にデジタル教材Ｂが含まれるかを判定し、かつ、プロジェクタ２０の電源状態から撮影エリアＡｒ１にデジタル教材Ｂが含まれるかを判定してもよい。このように各実施形態及び変形例の組み合わせは、記載内容が矛盾しない範囲で自由に行える。
【０１２０】
上記実施形態におけるスマートフォン４０は情報処理装置の一例であり、情報処理装置は、これに限らず、ＰＤＡ（Personal Digital Assistants）、タブレット型端末や、ＨＭＤ（Head Mount Display）又はＦＭＤ（face Mount Display）等のウェアラブル表示デバイスを適用してもよい。
【０１２１】
また、上記実施形態における識別マークｍは、撮影エリアＡｒ１の被写体に含まれるデジタルコンテンツの識別情報の一例であり、デジタルコンテンツの識別情報の他の例としては、特定のマークや記号、それらの組合わせの他、バーコード、ＱＲコード(登録商標)であってもよい。
【０１２２】
以上の説明に関し、更に以下の項を開示する。
（付記１）
撮影エリアの被写体が所定の周期で更新される映像を含むか否かを判定する判定部と、
前記被写体が所定の周期で更新される映像を含むと判定すると、前記被写体を撮影するシャッター速度を前記映像が更新される周期の整数倍とは異なる速度に制御する制御部と、
を有する情報処理装置。
（付記２）
前記判定部は、前記撮影エリアの被写体に含まれるデジタルコンテンツの識別情報により前記被写体が所定の周期で更新される映像を含むか否かを判定する、
付記１に記載の情報処理装置。
（付記３）
前記判定部は、前記撮影エリアにデジタルコンテンツを表示する表示装置の電源がオン状態か又はオフ状態かにより前記被写体が所定の周期で更新される映像を含むか否かを判定する、
付記１に記載の情報処理装置。
（付記４）
前記制御部は、前記シャッター速度で前記撮影エリアの被写体を撮影させた後、前記シャッター速度を前記制御する前の設定条件に戻す、
付記１〜３のいずれか一項に記載の情報処理装置。
（付記５）
前記制御部は、前記被写体が所定の周期で更新される映像を含むと判定すると、前記被写体を撮影するフラッシュの設定をオフ状態に制御する、
付記１〜４のいずれか一項に記載の情報処理装置。
（付記６）
撮影エリアの被写体が所定の周期で更新される映像を含むか否かを判定し、
前記被写体が所定の周期で更新される映像を含むと判定すると、前記被写体を撮影するシャッター速度を前記映像が更新される周期の整数倍とは異なる速度に制御する、
処理をコンピュータに実行させるためのプログラム。
（付記７）
前記撮影エリアの被写体に含まれるデジタルコンテンツの識別情報により前記被写体が所定の周期で更新される映像を含むか否かを判定する、
付記６に記載の情報処理装置。
（付記８）
前記撮影エリアにデジタルコンテンツを表示する表示装置の電源がオン状態か又はオフ状態かにより前記被写体が所定の周期で更新される映像を含むか否かを判定する、
付記６又は７に記載の情報処理装置。
（付記９）
前記シャッター速度で前記撮影エリアの被写体を撮影させた後、前記シャッター速度を前記制御する前の設定条件に戻す、
付記６〜８のいずれか一項に記載の情報処理装置。
（付記１０）
前記被写体が所定の周期で更新される映像を含むと判定すると、前記被写体を撮影するフラッシュの設定をオフ状態に制御する、
付記６〜９のいずれか一項に記載の情報処理装置。
（付記１１）
撮影エリアの被写体が所定の周期で更新される映像を含むか否かを判定する判定部と、
前記被写体が所定の周期で更新される映像を含むと判定すると、前記被写体を撮影するシャッター速度を前記映像が更新される周期の整数倍とは異なる速度に制御する制御部と、
前記シャッター速度で前記撮影エリアの被写体を撮影する撮像部と、
を有する情報処理装置。
（付記１２）
前記判定部は、前記撮影エリアの被写体に含まれるデジタルコンテンツの識別情報により前記被写体が所定の周期で更新される映像を含むか否かを判定する、
付記１１に記載の情報処理装置。
（付記１３）
前記判定部は、前記撮影エリアにデジタルコンテンツを表示する表示装置の電源がオン状態か又はオフ状態かにより前記被写体が所定の周期で更新される映像を含むか否かを判定する、
付記１１に記載の情報処理装置。
（付記１４）
前記制御部は、前記シャッター速度で前記撮影エリアの被写体を撮影した後、前記シャッター速度を前記制御する前の設定条件に戻す、
付記１１〜１３のいずれか一項に記載の情報処理装置。
（付記１５）
前記制御部は、前記被写体が所定の周期で更新される映像を含むと判定すると、前記被写体を撮影するフラッシュの設定をオフ状態に制御する、
付記１１〜１４のいずれか一項に記載の情報処理装置。
【符号の説明】
【０１２３】
１０    ＰＣ
１１    取得部
１２    判定部
１３    制御部
１４    通信部
１５    入力部
１６    表示部
１７    記憶部
２０    プロジェクタ
３０    デジタルカメラ
３１    撮像部
３２    判定部
３３    制御部
３４    通信部
３５    入力部
３６    表示部
３７    記憶部
４０    スマートフォン
４１    撮像部
４２    判定部
４３    制御部
４４    通信部
４５    入力部
４６    表示部
４７    記憶部
１０１  キーボード
１０２  ディスプレイ
１０３  外部Ｉ／Ｆ
１０４  ＲＡＭ
１０５  ＲＯＭ
１０６  ＣＰＵ
１０７  通信Ｉ／Ｆ
１０８  ＨＤＤ
Ａ      アナログ教材
ａ１、ａ２  アナログコンテンツ
Ｂ      デジタル教材
ｂ１、ｂ２  デジタルコンテンツ
ＡＢ    カメラの映像
Ａｒ１  カメラの撮影エリア
Ａｒ２  プロジェクタ表示画面
【図１】
2018056710.tif 000003
【図２】
2018056710.tif 000004
【図３】
2018056710.tif 000005
【図４】
2018056710.tif 000006
【図５】
2018056710.tif 000007
【図６】
2018056710.tif 000008
【図７】
2018056710.tif 000009
【図８】
2018056710.tif 000010
【図９】
2018056710.tif 000011
【図１０】
2018056710.tif 000012
【図１１】
2018056710.tif 000013
【図１２】
2018056710.tif 000014
【図１３】
2018056710.tif 000015
【図１４】
2018056710.tif 000016
【図１５】
2018056710.tif 000017
【図１６】
2018056710.tif 000018